(57)【要約】【課題】利用される照明環境に応じて媒体の画像の色再現性を向上させることが可能な技術を提供する。【解決手段】媒体に形成される画像の色再現特性を規定したプロファイルを生成するプロファイル生成装置であって、パッチが形成された前記媒体に光を透過させた場合の前記パッチの測色値である透過測色値を取得する透過測色値取得部と、前記パッチの表面に光を反射させた場合の前記パッチの測色値である反射測色値を取得する反射測色値取得部と、前記透過測色値と前記反射測色値とに基づいて前記プロファイルを生成するプロファイル生成部と、を備える、プロファイル生成装置。【選択図】図２
2018033066.tif 000002
【特許請求の範囲】
【請求項１】
媒体に形成される画像の色再現特性を規定したプロファイルを生成するプロファイル生成装置であって、
パッチが形成された前記媒体に光を透過させた場合の前記パッチの測色値である透過測色値を取得する透過測色値取得部と、
前記パッチの表面に光を反射させた場合の前記パッチの測色値である反射測色値を取得する反射測色値取得部と、
前記透過測色値と前記反射測色値とに基づいて前記プロファイルを生成するプロファイル生成部と、を備える、プロファイル生成装置。
【請求項２】
前記プロファイル生成部は、前記透過測色値と前記反射測色値とを合成した合成測色値を生成する測色値合成部を有し、前記合成測色値に基づいて前記プロファイルを生成する、請求項１に記載のプロファイル生成装置。
【請求項３】
前記プロファイル生成部は、前記透過測色値と前記反射測色値との合成比率の設定を受け付ける合成比率設定部を有し、
前記測色値合成部は、前記透過測色値と前記反射測色値とを前記合成比率で合成して前記合成測色値を生成する、請求項２に記載のプロファイル生成装置。
【請求項４】
前記プロファイル生成部は、
前記透過測色値に基づいて、前記媒体に形成される画像の前記媒体に光を透過させた場合における色再現特性を規定した第一中間プロファイルを生成する第一中間プロファイル生成部と、
前記反射測色値に基づいて、前記媒体に形成される画像の表面に光を反射させた場合における色再現特性を規定した第二中間プロファイルを生成する第二中間プロファイル生成部と、
前記第一中間プロファイルと前記第二中間プロファイルとを合成して最終的な前記プロファイルを生成するプロファイル合成部と、を有する、請求項１に記載のプロファイル生成装置。
【請求項５】
前記プロファイル生成部は、前記透過測色値と前記反射測色値との合成比率の設定を受け付ける合成比率設定部を有し、
前記プロファイル合成部は、前記透過測色値と前記反射測色値とが前記合成比率で合成されるように前記第一中間プロファイルと前記第二中間プロファイルとを合成する、請求項４に記載のプロファイル生成装置。
【請求項６】
前記反射測色値取得部は、予め決められた前記透過測色値と前記反射測色値との対応関係に従って、前記透過測色値から推定される前記反射測色値を取得する、請求項１〜請求項５のいずれか一項に記載のプロファイル生成装置。
【請求項７】
前記対応関係は、前記透過測色値が所定の透過率よりも大きい測色値である場合に、前記反射測色値に対応する反射率が前記透過測色値に対応する透過率よりも小さくなるように決められている、請求項６に記載のプロファイル生成装置。
【請求項８】
媒体に形成される画像の色再現特性を規定したプロファイルを生成するプロファイル生成方法であって、
パッチが形成された前記媒体に光を透過させた場合の前記パッチの測色値である透過測色値を取得する工程と、
前記パッチの表面に光を反射させた場合の前記パッチの測色値である反射測色値を取得する工程と、
前記透過測色値と前記反射測色値とに基づいて前記プロファイルを生成する工程と、を含む、プロファイル生成方法。
【請求項９】
媒体に形成される画像の色再現特性を規定したプロファイルを生成するためのプロファイル生成プログラムであって、
パッチが形成された前記媒体に光を透過させた場合の前記パッチの測色値である透過測色値を取得する透過測色値取得機能と、
前記パッチの表面に光を反射させた場合の前記パッチの測色値である反射測色値を取得する反射測色値取得機能と、
前記透過測色値と前記反射測色値とに基づいて前記プロファイルを生成するプロファイル生成機能と、をコンピューターに実現させる、プロファイル生成プログラム。
【発明の詳細な説明】
【技術分野】
【０００１】
本発明は、媒体に形成される画像の色再現特性を規定したプロファイルを生成する技術に関する。
【背景技術】
【０００２】
例えば、駅構内、各種売り場（例えば空港免税店の化粧品売り場等）、等には、バックライトを使用した看板がある。この看板は、例えば、光を透過させる透過媒体に画像を印刷することにより形成される。透過媒体に形成される印刷画像の色は、バックライトで照らすことを前提として設計される。
【０００３】
尚、参考例として、特許文献１には、ＩＣＣ（International Color Consortium）プロファイルを生成する技術が示されている。
【先行技術文献】
【特許文献】
【０００４】
【特許文献１】特許第５６４９３３７号公報
【発明の概要】
【発明が解決しようとする課題】
【０００５】
上述した看板は、夜間にバックライトを使用する一方で昼間はバックライトを使用しないこともある。バックライトを使用する前提で設計された印刷画像を形成した透過媒体をバックライト無しで見ると、暗すぎる印象となることがある。また、バックライトを使用していても看板を見る側にある照明のために印刷画像の色味に影響が出ることがある。
尚、上述のような問題は、看板に限らず、画像を形成した種々の透過媒体にも存在する。
【０００６】
本発明の目的の一つは、利用される照明環境に応じて媒体の画像の色再現性を向上させることが可能な技術を提供することにある。
【課題を解決するための手段】
【０００７】
上記目的の一つを達成するため、本発明は、媒体に形成される画像の色再現特性を規定したプロファイルを生成するプロファイル生成装置であって、
パッチが形成された前記媒体に光を透過させた場合の前記パッチの測色値である透過測色値を取得する透過測色値取得部と、
前記パッチの表面に光を反射させた場合の前記パッチの測色値である反射測色値を取得する反射測色値取得部と、
前記透過測色値と前記反射測色値とに基づいて前記プロファイルを生成するプロファイル生成部と、を備える、態様を有する。
【０００８】
また、本発明は、媒体に形成される画像の色再現特性を規定したプロファイルを生成するプロファイル生成方法であって、
パッチが形成された前記媒体に光を透過させた場合の前記パッチの測色値である透過測色値を取得する工程と、
前記パッチの表面に光を反射させた場合の前記パッチの測色値である反射測色値を取得する工程と、
前記透過測色値と前記反射測色値とに基づいて前記プロファイルを生成する工程と、を含む、態様を有する。
【０００９】
さらに、本発明は、媒体に形成される画像の色再現特性を規定したプロファイルを生成するためのプロファイル生成プログラムであって、
パッチが形成された前記媒体に光を透過させた場合の前記パッチの測色値である透過測色値を取得する透過測色値取得機能と、
前記パッチの表面に光を反射させた場合の前記パッチの測色値である反射測色値を取得する反射測色値取得機能と、
前記透過測色値と前記反射測色値とに基づいて前記プロファイルを生成するプロファイル生成機能と、をコンピューターに実現させる、態様を有する。
【００１０】
上述した態様は、利用される照明環境に応じて媒体の画像の色再現性を向上させることが可能な技術を提供することができる。
【図面の簡単な説明】
【００１１】
【図１】プロファイル生成装置の構成例を模式的に示すブロック図。
【図２】測色値を合成するプロファイル生成方法の例を模式的に示す図。
【図３】図３Ａは透過測色装置の例を模式的に示す図、図３Ｂは反射測色装置の例を模式的に示す図。
【図４】色変換テーブル生成処理の例を示すフローチャート。
【図５】合成比率設定画面の例を模式的に示す図。
【図６】色変換テーブルを生成する例を模式的に示す図。
【図７】プロファイルを合成するプロファイル生成方法の例を模式的に示す図。
【図８】色変換テーブル生成処理の例を示すフローチャート。
【図９】反射測色値を推定するプロファイル生成方法の例を模式的に示す図。
【図１０】図１０Ａは透過測色値と反射測色値との対応関係の例を模式的に示す図、図１０Ｂは透過測色値に応じた係数の例を模式的に示す図。
【図１１】色変換テーブル生成処理の例を示すフローチャート。
【図１２】比較例に係るプロファイル生成方法を模式的に示す図。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本技術の概要：
まず、図１〜１２に示される例を参照して本発明に含まれる技術の概要を説明する。尚、本願の図は模式的に例を示す図であり、これらの図に示される各方向の拡大率は異なることがあり、各図は整合していないことがある。
【００１４】
［背景］
バックライトを使用する看板等の透過媒体は、バックライト照明による光だけでなく、透過媒体のフロント側にある照明からの光も当たる。このため、バックライト照明を使用する前提で設計された印刷画像を形成した透過媒体を見ると、透過媒体のフロント側にある照明からの光の影響を受けて、印刷画像の暗部の階調が潰れたり硬調化（高コントラスト化）したりすることがある。この対策のため、現実の照明環境下で印刷画像を観察して画像データをレタッチ（最適化）する試行錯誤を行うことを想定すると、バックライト照明の環境下とフロント側の照明の環境下とで別々にレタッチする必要がある。本技術は、このような煩わしさを軽減し、利用される照明環境に応じて媒体の画像の色再現性を向上させる目的を有している。
【００１５】
［態様１］
図１，２，７，９等に例示されるプロファイル生成装置１００は、透過測色値取得部Ｕ１、反射測色値取得部Ｕ２、及び、プロファイル生成部Ｕ３を備え、媒体（例えば透過媒体ＭＥ１）に形成される画像ＩＭ２の色再現特性を規定したプロファイル４００を生成する。前記透過測色値取得部Ｕ１は、パッチＰＡ１が形成された前記媒体（ＭＥ１）に光を透過させた場合の前記パッチＰＡ１の測色値である透過測色値５００を取得する。前記反射測色値取得部Ｕ２は、前記パッチＰＡ１の表面ＰＡ１ａに光を反射させた場合の前記パッチＰＡ１の測色値である反射測色値５２０を取得する。前記プロファイル生成部Ｕ３は、前記透過測色値５００と前記反射測色値５２０とに基づいて前記プロファイル４００を生成する。
上記態様１では、透過測色値５００と反射測色値５２０とが反映されたプロファイル４００が生成されるので、利用される照明環境に応じて媒体の画像の色再現性を向上させることが可能なプロファイル生成装置を提供することができる。
【００１６】
ここで、プロファイルは、ＩＣＣプロファイル、色変換テーブル、等を含む。
透過測色値及び反射測色値は、ＣＩＥ（国際照明委員会）Ｌ*ａ*ｂ*色空間における明度Ｌ*及び色度座標ａ*，ｂ*を表す値、ＣＩＥ ＸＹＺ表色系における三刺激値Ｘ，Ｙ，Ｚ、等を含む。以下、「*」の記載を省略することがある。
透過測色値と反射測色値とに基づいてプロファイルを生成することは、透過測色値と反射測色値とを合成して得られる合成測色値からプロファイルを生成すること、透過測色値から得られる第一中間プロファイルと反射測色値から得られる第二中間プロファイルとを合成すること、等を含む。
【００１７】
［態様２］
ところで、前記プロファイル生成部Ｕ３は、前記透過測色値５００と前記反射測色値５２０とを合成した合成測色値５５０を生成する測色値合成部Ｕ５を有してもよい。前記プロファイル生成部Ｕ３は、前記合成測色値５５０に基づいて前記プロファイル４００を生成してもよい。本態様は、利用される照明環境に応じて媒体の画像の色再現性を向上させる好適な例を提供することができる。
【００１８】
［態様３］
図４，５等に例示するように、前記プロファイル生成部Ｕ３は、前記透過測色値５００と前記反射測色値５２０との合成比率（例えば透過測色値５００の比率α）の設定を受け付ける合成比率設定部Ｕ４を有してもよい。前記測色値合成部Ｕ５は、前記透過測色値５００と前記反射測色値５２０とを前記合成比率（α）で合成して前記合成測色値５５０を生成してもよい。本態様は、利用される照明環境に応じて媒体の画像の色再現性を向上させるさらに好適な例を提供することができる。
ここで、透過測色値及び反射測色値をＸＹＺ値（ＸＹＺ表色系における三刺激値Ｘ，Ｙ，Ｚ）のように三刺激値で色を定量的に扱う表色系の座標値にすると、媒体に形成される画像を非常に良好な色味にすることができる。
【００１９】
［態様４］
図７，８に例示するように、前記プロファイル生成部Ｕ３は、前記透過測色値５００に基づいて、前記媒体（ＭＥ１）に形成される画像ＩＭ２の前記媒体（ＭＥ１）に光を透過させた場合における色再現特性を規定した第一中間プロファイル４０１を生成する第一中間プロファイル生成部Ｕ６を有してもよい。前記プロファイル生成部Ｕ３は、前記反射測色値５２０に基づいて、前記媒体（ＭＥ１）に形成される画像ＩＭ２の表面に光を反射させた場合における色再現特性を規定した第二中間プロファイル４０２を生成する第二中間プロファイル生成部Ｕ７を有してもよい。前記プロファイル生成部Ｕ３は、前記第一中間プロファイル４０１と前記第二中間プロファイル４０２とを合成して最終的な前記プロファイル４００を生成するプロファイル合成部Ｕ８を有してもよい。本態様は、利用される照明環境に応じて媒体の画像の色再現性を向上させる好適な例を提供することができる。
【００２０】
［態様５］
図５，８等に例示するように、前記プロファイル生成部Ｕ３は、前記透過測色値５００と前記反射測色値５２０との合成比率（α）の設定を受け付ける合成比率設定部Ｕ４を有してもよい。前記プロファイル合成部Ｕ８は、前記透過測色値５００と前記反射測色値５２０とが前記合成比率（α）で合成されるように前記第一中間プロファイル４０１と前記第二中間プロファイル４０２とを合成してもよい。本態様は、利用される照明環境に応じて媒体の画像の色再現性を向上させるさらに好適な例を提供することができる。
ここで、透過測色値及び反射測色値をＸＹＺ値のように三刺激値で色を定量的に扱う表色系の座標値にすると、媒体に形成される画像を非常に良好な色味にすることができる。
【００２１】
［態様６］
図９，１１に例示するように、前記反射測色値取得部Ｕ２は、予め決められた前記透過測色値５００と前記反射測色値５２０との対応関係（図１０Ａ参照）に従って、前記透過測色値５００から推定される前記反射測色値５２０を取得してもよい。この態様は、パッチＰＡ１の表面ＰＡ１ａに光を反射させた場合のパッチＰＡ１を測色する測色器が無くてもプロファイル４００を生成することができるので、利便性を向上させることが可能な技術を提供することができる。
【００２２】
［態様７］
図１０Ａに例示するように、前記対応関係は、前記透過測色値５００が所定の透過率（例えばＴ１）よりも大きい測色値である場合に、前記反射測色値５２０に対応する反射率が前記透過測色値５００に対応する透過率よりも小さくなるように決められてもよい。この態様は、利便性を向上させる好適な例を提供することができる。
【００２３】
［態様８］
図２，４，７〜９，１１等に例示されるプロファイル生成方法は、透過測色値取得部Ｕ１に対応する透過測色値取得工程ＳＴ１、反射測色値取得部Ｕ２に対応する反射測色値取得工程ＳＴ２、及び、プロファイル生成部Ｕ３に対応するプロファイル生成工程ＳＴ３を含む。本態様は、利用される照明環境に応じて媒体の画像の色再現性を向上させることが可能なプロファイル生成方法を提供することができる。本プロファイル生成方法は、合成比率設定部Ｕ４に対応する合成比率設定工程ＳＴ４、測色値合成部Ｕ５に対応する測色値合成工程ＳＴ５、第一中間プロファイル生成部Ｕ６に対応する第一中間プロファイル生成工程ＳＴ６、第二中間プロファイル生成部Ｕ７に対応する第二中間プロファイル生成工程ＳＴ７、及び、プロファイル合成部Ｕ８に対応するプロファイル合成工程ＳＴ８を含んでもよい。
【００２４】
［態様９］
図１，２，７，９等に例示されるプロファイル生成プログラムＰＲ０は、透過測色値取得部Ｕ１に対応する透過測色値取得機能ＦＵ１、反射測色値取得部Ｕ２に対応する反射測色値取得機能ＦＵ２、及び、プロファイル生成部Ｕ３に対応するプロファイル生成機能ＦＵ３をコンピューターに実現させる。本態様は、利用される照明環境に応じて媒体の画像の色再現性を向上させることが可能なプロファイル生成プログラムＰＲ０を提供することができる。本プロファイル生成プログラムＰＲ０は、合成比率設定部Ｕ４に対応する合成比率設定機能ＦＵ４、測色値合成部Ｕ５に対応する測色値合成機能ＦＵ５、第一中間プロファイル生成部Ｕ６に対応する第一中間プロファイル生成機能ＦＵ６、第二中間プロファイル生成部Ｕ７に対応する第二中間プロファイル生成機能ＦＵ７、及び、プロファイル合成部Ｕ８に対応するプロファイル合成機能ＦＵ８をコンピューターに実現させてもよい。
【００２５】
さらに、本技術は、プロファイル生成装置を含む複合装置、プロファイル生成装置の制御方法、複合装置の制御方法、プロファイル生成装置の制御プログラム、複合装置の制御プログラム、プロファイル生成プログラムや前記制御プログラムを記録したコンピューター読み取り可能な媒体、等に適用可能である。前述の装置は、分散した複数の部分で構成されてもよい。
【００２６】
（２）プロファイル生成装置の具体例：
図１は、プロファイル生成装置の構成例を模式的に示している。図１に示すプロファイル生成装置１００は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、透過測色装置１１７、反射測色装置１１８、通信Ｉ／Ｆ（インターフェイス）１１９、等が接続されて互いに情報を入出力可能とされている。本具体例のプロファイル生成装置１００は、図６に例示するようなプロファイル４００を生成し、さらに、色変換テーブル４５０を生成するものとする。例えば、図６に示す色変換テーブル４５０は、ＲＧＢ（レッド、グリーン、及び、ブルー）の量を表す入力値（Ｒｊ，Ｇｊ，Ｂｊ）とＣＭＹＫ（シアン、マゼンタ、イエロー、及び、ブラック）のインク（色材の例）の使用量を表す出力値（Ｃｊ，Ｍｊ，Ｙｊ，Ｋｊ）との対応関係を各格子点ＧＤ０について規定したＬＵＴ（ルックアップテーブル）である。ここで、変数ｊは、各格子点ＧＤ０を識別する変数である。入力値（Ｒｊ，Ｇｊ，Ｂｊ）と出力値（Ｃｊ，Ｍｊ，Ｙｊ，Ｋｊ）は、例えば、２５６階調や２16階調等の階調値で表現することができる。格子点ＧＤ０の数は、ＲＧＢそれぞれ１７段階にする場合には１７3＝４９１３個、ＲＧＢそれぞれ３２段階にする場合には３２3＝３２７６８個、と多数となる。入力色空間ＣＳ１が４次元である場合、格子点ＧＤ０の数は、さらに多くなる。
尚、格子点（grid point）は入力色空間に配置された仮想の点を意味し、入力色空間における格子点の位置に対応する出力座標値が該格子点に格納されていると想定することにしている。複数の格子点が入力色空間内で均等に配置されるのみならず、複数の格子点が入力色空間内で不均等に配置されることも、本技術に含まれる。
【００２７】
記憶装置１１４は、プロファイル生成プログラムＰＲ０等を記憶している。記憶装置１１４には、フラッシュメモリー等の不揮発性半導体メモリー、ハードディスク等の磁気記憶装置、等を用いることができる。表示装置１１５には、液晶表示パネル等を用いることができる。入力装置１１６には、ポインティングデバイス、キーボードを含むハードキー、表示パネルの表面に貼り付けられたタッチパネル、等を用いることができる。図２，３Ａ，３Ｂにも示す測色装置１１７，１１８は、透過媒体ＭＥ１（媒体の例）に形成されたカラーチャートＣＨ１の各カラーパッチＰＡ１を測色して測色値５０１，５２１を出力可能である。パッチは、色票とも呼ばれる。測色値は、例えば、ＣＩＥ Ｌａｂ色空間における明度Ｌ及び色度座標ａ，ｂを表す値とされる。測色装置１１７，１１８は、プロファイル生成装置１００の外部に設けられてもよい。プロファイル生成装置１００は、測色装置１１７，１１８から測色値５０１，５２１を取得して各種処理を行う。通信Ｉ／Ｆ１１９は、印刷装置２００の通信Ｉ／Ｆ２１０に接続され、印刷装置２００に対して情報を入出力する。通信Ｉ／Ｆ１１９，２１０の規格には、ＵＳＢ（Universal Serial Bus）、近距離無線通信規格、等を用いることができる。通信Ｉ／Ｆ１１９，２１０の通信は、有線でもよいし、無線でもよく、ＬＡＮ（Local Area Network）やインターネット等といったネットワーク通信でもよい。
【００２８】
図１に示すプロファイル生成プログラムＰＲ０は、透過測色値取得機能ＦＵ１、反射測色値取得機能ＦＵ２、プロファイル生成機能ＦＵ３をプロファイル生成装置１００に実現させる。プロファイル生成機能ＦＵ３は、合成比率設定機能ＦＵ４、測色値合成機能ＦＵ５、第一中間プロファイル生成機能ＦＵ６、第二中間プロファイル生成機能ＦＵ７、及び、プロファイル合成機能ＦＵ８を有している。
【００２９】
尚、プロファイル生成装置１００には、パーソナルコンピューター（タブレット型端末を含む。）といったコンピューター等が含まれる。プロファイル生成装置１００は、一つの筐体内に全構成要素１１１〜１１９を有してもよいが、互いに通信可能に分割された複数の装置で構成されてもよい。また、印刷装置がプロファイル生成装置１００にあっても本技術を実施可能であり、印刷機能を有する印刷装置自体が本技術のプロファイル生成処理を行ってもよい。
【００３０】
図１に示す印刷装置２００は、ＣＭＹＫのインクを記録ヘッド２２０から吐出（噴射）して被印刷物（print substrate）に印刷画像を形成するインクジェットプリンターであるものとする。本具体例の被印刷物は、可視光を透過させる透過媒体ＭＥ１であるものとする。記録ヘッド２２０は、インクカートリッジＣｃ，Ｃｍ，Ｃｙ，ＣｋからそれぞれＣＭＹＫのインクが供給され、ノズルＮｃ，Ｎｍ，Ｎｙ，ＮｋからそれぞれＣＭＹＫのインク滴２８０を吐出する。インク滴２８０が透過媒体ＭＥ１に着弾すると、インクドットが透過媒体ＭＥ１に形成される。その結果、図６に例示する印刷画像ＩＭ２を有する印刷物ＰＴ２が得られる。
印刷装置２００は、プロファイル生成装置１００が生成した出力画像に基づく印刷用データを入手し、該印刷用データに基づいて前記出力画像に対応する印刷画像を透過媒体に形成する。
【００３１】
（３）第一の具体例におけるプロファイル生成：
図２は、透過測色値５００と反射測色値５２０を用いてプロファイル４００を生成する例として、透過測色値５００と反射測色値５２０を合成するプロファイル生成方法を模式的に例示している。図３Ａは、カラーチャートＣＨ１の印刷物ＰＴ１を透過測色装置１１７で測色する様子を模式的に例示している。
図２，３Ａに示す印刷物ＰＴ１に形成されたチャートＣＨ１は、色変換テーブル４５０の各格子点ＧＤ０に合わせたカラーパッチＰＡ１を有している。透過測色装置１１７は、チャートＣＨ１に含まれる各パッチＰＡ１を測色して透過測色値５０１を取得する。ここで、パッチＰＡ１を識別する変数をｉとし、変数ｉに対応するパッチＰＡ１を形成するためのＣＭＹＫのインク使用量を表す値をそれぞれＣｉ，Ｍｉ，Ｙｉ，Ｋｉとし、変数ｉに対応するパッチＰＡ１の透過測色値５０１のＬａｂ値（Ｌ*ａ*ｂ*色空間における座標値Ｌ*，ａ*，ｂ*）をそれぞれＬＴｉ，ａＴｉ，ｂＴｉとする。
【００３２】
図３Ａに示す透過測色装置１１７は、透過媒体ＭＥ１の裏面ＭＥ１ｂ側に配置された光源１１７ａ、及び、透過媒体ＭＥ１の表面ＭＥ１ａ側に配置された測色部１１７ｂを有している。光源１１７ａからの光は印刷物ＰＴ１を透過し、パッチＰＡ１から出た透過光ＬＴ１が測色部１１７ｂに入る。測色部１１７ｂが透過光ＬＴ１の測色量を検出すると、透過測色装置１１７は、前記測色量に対応する透過測色値（ＬＴｉ，ａＴｉ，ｂＴｉ）を出力する。透過測色値（ＬＴｉ，ａＴｉ，ｂＴｉ）は、パッチＰＡ１が形成された透過媒体ＭＥ１に光を透過させた場合のパッチＰＡ１の測色値であり、パッチＰＡ１毎に得られる。従って、パッチＰＡ１毎の透過測色値（ＬＴｉ，ａＴｉ，ｂＴｉ）の集まりは、透過媒体ＭＥ１に形成される画像ＩＭ２の透過測色特性ともいえる。
【００３３】
図３Ｂは、カラーチャートＣＨ１の印刷物ＰＴ１を反射測色装置１１８で測色する様子を模式的に例示している。図３Ｂに示す反射測色装置１１８は、透過媒体ＭＥ１の表面ＭＥ１ａ側に配置された光源１１８ａ、及び、測色部１１８ｂを有している。光源１１８ａからの光はパッチＰＡ１の表面ＰＡ１ａで反射し、反射光ＬＴ２となって測色部１１８ｂに入る。測色部１１８ｂが反射光ＬＴ２の測色量を検出すると、反射測色装置１１８は、前記測色量に対応する反射測色値（ＬＲｉ，ａＲｉ，ｂＲｉ）を出力する。反射測色値（ＬＲｉ，ａＲｉ，ｂＲｉ）は、パッチＰＡ１の表面ＰＡ１ａに光を反射させた場合のパッチＰＡ１の測色値であり、パッチＰＡ１毎に得られる。従って、パッチＰＡ１毎の反射測色値（ＬＲｉ，ａＲｉ，ｂＲｉ）の集まりは、透過媒体ＭＥ１に形成される画像ＩＭ２の反射測色特性ともいえる。
尚、測色装置１１７，１１８は、透過光ＬＴ１を測色する機能と反射光ＬＴ２を測色する機能の両方を有する一体型の装置でもよい。
【００３４】
ところで、バックライトを使用する看板といった透過媒体の印刷画像の色を設計する場合、バックライトで透過媒体を照らすことを想定して、透過媒体に印刷したカラーパッチに背後から光を当てて測色し、プロファイルを生成することが考えられる。図１２は、比較例に係るプロファイル生成方法を模式的に示している。この比較例では、透過媒体ＭＥ１に形成された各パッチＰＡ１を透過測色装置１１７で測色して透過測色値５０１を取得し、この透過測色値５０１を用いてＩＣＣプロファイル９００を生成し、このプロファイル９００を用いて色変換テーブル９５０を生成している。この色変換テーブル９５０を用いて透過媒体ＭＥ１に印刷画像を形成すると、透過媒体ＭＥ１のフロント側の照明の影響が無ければ印刷画像の色再現性を非常に良好にすることができる。
【００３５】
しかし、現実には、透過媒体ＭＥ１のフロント側にある照明の光が印刷画像に当たり、印刷画像の色味に影響が出ることがある。また、ユーザーによっては、夜間にバックライトを使用する一方で昼間はバックライトを使用しないこともある。図１２に示す色変換テーブル９５０を用いて透過媒体ＭＥ１に形成される印刷画像をバックライト無しで見ると、暗すぎる印象となることがある。一方、現実の照明環境下で印刷画像を観察して画像データをレタッチする試行錯誤を行うことは、煩わしい。本具体例は、このような煩わしさを軽減し、ユーザーの利用環境に応じて印刷画像の色味を容易に最適化することが可能である。
【００３６】
次に、図４等を参照して、第一の具体例における色変換テーブル生成処理を説明する。
図４は、図１に示すプロファイル生成装置１００で行われる色変換テーブル生成処理の例を示している。ここで、ステップＳ１０６は、透過測色値取得部Ｕ１、透過測色値取得工程ＳＴ１、及び、透過測色値取得機能ＦＵ１に対応している。ステップＳ１０８は、反射測色値取得部Ｕ２、反射測色値取得工程ＳＴ２、及び、反射測色値取得機能ＦＵ２に対応している。ステップＳ１１０〜Ｓ１１４は、プロファイル生成部Ｕ３、プロファイル生成工程ＳＴ３、及び、プロファイル生成機能ＦＵ３に対応している。ステップＳ１１０は、合成比率設定部Ｕ４、合成比率設定工程ＳＴ４、及び、合成比率設定機能ＦＵ４に対応している。ステップＳ１１２は、測色値合成部Ｕ５、測色値合成工程ＳＴ５、及び、測色値合成機能ＦＵ５に対応している。以下、「ステップ」の記載を省略する。本具体例のプロファイル生成プログラムＰＲ０は、図１に示す機能ＦＵ６〜ＦＵ８が無くてもよい。尚、各ステップＳ１０２〜Ｓ１１６の処理順は、図４に示す順番に限定されない。
【００３７】
処理が開始されると、プロファイル生成装置１００は、印刷画像の画質に影響を与える印刷設定の選択を受け付ける（Ｓ１０２）。前記印刷設定には、透過媒体の種類や印刷モード（例えば印刷解像度や記録方式）があり、インクの種類等が含まれてもよい。Ｓ１０２の処理は、例えば、ユーザーが入力装置１１６を操作して印刷設定の複数の項目の中からいずれか一つを選択したときに該選択された項目の印刷設定を受け付ける処理とすることができる。
続くＳ１０４では、透過媒体ＭＥ１にカラーチャートＣＨ１を印刷する。この処理は、各カラーパッチＰＡ１をインク使用量を表す値Ｃｉ，Ｍｉ，Ｙｉ，Ｋｉとなるように形成させるための印刷データを印刷装置２００に送信してチャートＣＨ１を透過媒体ＭＥ１に形成させる処理とすることができる。この処理により、図２に示すようなチャートＣＨ１が透過媒体ＭＥ１に形成される。形成するパッチＰＡ１の数は、特に限定されないが、色変換テーブル４５０の格子点ＧＤ０のインク使用量を表す値Ｃｉ，Ｍｉ，Ｙｉ，Ｋｉに対応する測色値５０１，５２１を得ることを目的として色変換テーブル４５０の格子点ＧＤ０の数に合わせてもよい。
【００３８】
カラーチャート印刷後、プロファイル生成装置１００は、図３Ａで示したように、透過測色装置１１７で各カラーパッチＰＡ１を測色して透過測色値５００を取得する（Ｓ１０６）。これにより、インク使用量を表す値Ｃｉ，Ｍｉ，Ｙｉ，Ｋｉと透過測色値ＬＴｉ，ａＴｉ，ｂＴｉとの対応関係が各パッチＰＡ１について把握される。本具体例では、Ｌａｂ値からＸＹＺ値を算出する換算式に従って、Ｌａｂ値で表される透過測色値５０１（座標値ＬＴｉ，ａＴｉ，ｂＴｉ）をＸＹＺ値（ＣＩＥ ＸＹＺ表色系における座標値Ｘ，Ｙ，Ｚ）で表される透過測色値５０２（座標値ＸＴｉ，ＹＴｉ，ＺＴｉ）に変換し、ＸＹＺ値で表される反射測色値５２２（座標値ＸＲｉ，ＹＲｉ，ＺＲｉ）と合わせて合成測色値５５２（座標値ＸＡｉ，ＹＡｉ，ＺＡｉ）を生成することにしている。尚、透過測色値５０１，５０２を透過測色値５００と総称し、反射測色値５２１，５２２を反射測色値５２０と総称し、合成測色値５５１，５５２を合成測色値５５０と総称する。ＸＹＺ表色系は、心理物理色を表示するため三刺激値（レッドの刺激値Ｘ、グリーンの刺激値Ｙ、及び、ブルーの刺激値Ｚ）で色を定量的に扱う表色系である。従って、ＸＹＺ表色系で透過測色値ＬＴｉ，ａＴｉ，ｂＴｉと反射測色値ＸＲｉ，ＹＲｉ，ＺＲｉを合成することにより、透過媒体ＭＥ１に形成される画像を非常に良好な色味にすることができる。
【００３９】
また、プロファイル生成装置１００は、図３Ｂで示したように、反射測色装置１１８で各カラーパッチＰＡ１を測色して反射測色値５２０を取得する（Ｓ１０８）。これにより、インク使用量を表す値Ｃｉ，Ｍｉ，Ｙｉ，Ｋｉと反射測色値ＬＲｉ，ａＲｉ，ｂＲｉとの対応関係が各パッチＰＡ１について把握される。本具体例では、Ｌａｂ値からＸＹＺ値を算出する換算式に従って、Ｌａｂ値で表される反射測色値５２１（座標値ＬＲｉ，ａＲｉ，ｂＲｉ）をＸＹＺ値で表される反射測色値５２２（座標値ＸＲｉ，ＹＲｉ，ＺＲｉ）に変換し、透過測色値５０２（座標値ＸＴｉ，ＹＴｉ，ＺＴｉ）と合わせて合成測色値５５２（座標値ＸＡｉ，ＹＡｉ，ＺＡｉ）を生成することにしている。
【００４０】
ＸＹＺ値で表される測色値５０２，５２２の生成後、プロファイル生成装置１００は、測色値５０２，５２２の合成比率αの設定を受け付ける（図４のＳ１１０）。本具体例の合成比率αは透過測色値５０２の割合を表しているが、合成比率は反射測色値５２２の割合を表すものでもよい。
【００４１】
図５は、合成比率設定画面の例を模式的に示している。図５に示す合成比率設定画面６１０は、スライダーコントロール６１２、詳細設定入力欄６１３、ボタン６１４、等を有している。
スライダーコントロール６１２は、透過測色値５０２を重視するか反射測色値５２２を重視するかの割合を感覚的に設定するための操作部であり、スライダーバー６１２ｂに沿ってスライダー６１２ｓを移動させる操作をすることが可能である。図５に示すスライダーコントロール６１２は、透過測色値５０２（夜間使用）を重視する設定（左端）から反射測色値５２２（昼間使用）を重視する設定（右端）まで段階的に又は連続的に設定操作可能である。詳細設定入力欄６１３には、スライダー６１２ｓの位置に応じた設定値が表示されてもよい。
【００４２】
詳細設定入力欄６１３は、透過測色値５０２の割合と反射測色値５２２の割合を数値で入力するための操作部である。例えば、透過測色値入力欄６１３ｔに入力される割合と反射測色値入力欄６１３ｒに入力される割合との合計が１００％になる前提で、各入力欄６１３ｔ，６１３ｒに０〜１００％の値を入力する操作を受け付けてもよい。ここで、透過測色値入力欄６１３ｔが１００％であって反射測色値入力欄６１３ｒが０％である場合は反射測色値５２２を使用しないことを意味し、透過測色値入力欄６１３ｔが０％であって反射測色値入力欄６１３ｒが１００％である場合は透過測色値５０２を使用しないことを意味する。むろん、両測色値５０２，５２２を合成することを前提として、例えば、各入力欄６１３ｔ，６１３ｒに１〜９９％の値を入力する操作を受け付けてもよい。
【００４３】
プロファイル生成装置１００は、入力装置１１６による保存ボタン６１４の操作を受け付けると、スライダーコントロール６１２又は入力欄６１３で受け付けた操作に応じた合成比率αを記憶して、処理を図４のＳ１１２に進める。
尚、合成比率設定画面は、スライダーコントロール６１２と詳細設定入力欄６１３の一方が無くてもよい。
【００４４】
合成比率αの設定後、プロファイル生成装置１００は、パッチＰＡ１毎に、透過測色値５０２（座標値ＸＴｉ，ＹＴｉ，ＺＴｉ）と反射測色値５２２（座標値ＸＲｉ，ＹＲｉ，ＺＲｉ）とを用いることにより合成測色値５５２（座標値ＸＡｉ，ＹＡｉ，ＺＡｉ）を生成する（Ｓ１１２）。合成測色値ＸＡｉ，ＹＡｉ，ＺＡｉは、以下の式により算出することができる。
ＸＡｉ＝α・ＸＴｉ＋（１−α）・ＸＲｉ  …（１）
ＹＡｉ＝α・ＹＴｉ＋（１−α）・ＹＲｉ  …（２）
ＺＡｉ＝α・ＺＴｉ＋（１−α）・ＺＲｉ  …（３）
以上より、インク使用量を表す値Ｃｉ，Ｍｉ，Ｙｉ，Ｋｉと合成測色値ＸＡｉ，ＹＡｉ，ＺＡｉとの対応関係が各パッチＰＡ１について把握される。本具体例では、ＸＹＺ値からＬａｂ値を算出する換算式に従って、ＸＹＺ値で表される合成測色値５５２（座標値ＸＡｉ，ＹＡｉ，ＺＡｉ）をＬａｂ値で表される合成測色値５５１（座標値ＬＡｉ，ａＡｉ，ｂＡｉ）に変換することにしている。すなわち、インク使用量を表す値Ｃｉ，Ｍｉ，Ｙｉ，Ｋｉと合成測色値ＬＡｉ，ａＡｉ，ｂＡｉとの対応関係が各パッチＰＡ１について把握される。
【００４５】
合成測色値５５１の生成後、プロファイル生成装置１００は、合成測色値５５１（座標値ＬＡｉ，ａＡｉ，ｂＡｉ）を用いることによりプロファイル４００（例えばＩＣＣプロファイル）を生成する（Ｓ１１４）。例えば、図６に示すように、プロファイル４００がＬａｂ値Ｌｊ，ａｊ，ｂｊとインク使用量を表す値Ｃｊ，Ｍｊ，Ｙｊ，Ｋｊとの対応関係を規定したＬＵＴであるとする。各パッチＰＡ１についてインク使用量を表す値Ｃｉ，Ｍｉ，Ｙｉ，Ｋｉに対応する合成測色値ＬＡｉ，ａＡｉ，ｂＡｉが把握されているので、合成測色値ＬＡｉ，ａＡｉ，ｂＡｉをＬａｂ値Ｌｊ，ａｊ，ｂｊとしてプロファイル４００に格納し、インク使用量を表す値Ｃｉ，Ｍｉ，Ｙｉ，Ｋｉを値Ｃｊ，Ｍｊ，Ｙｊ，Ｋｊとしてプロファイル４００に格納すればよい。これにより、Ｌａｂ値Ｌｊ，ａｊ，ｂｊとインク使用量を表す値Ｃｊ，Ｍｊ，Ｙｊ，Ｋｊとの対応関係を規定したプロファイル４００が生成される。尚、合成測色値５５１は透過測色値５００と反射測色値５２０とを用いることにより生成されるので、プロファイル４００は透過測色値５００と反射測色値５２０とに基づいて生成されることになる。
【００４６】
プロファイル４００の生成後、プロファイル生成装置１００は、プロファイル４００を用いて図６に示すような色変換テーブル４５０を生成し（図４のＳ１１６）、色変換テーブル生成処理を終了させる。図６に示す色変換テーブル４５０は、例えば、入力デバイス（例えば外部の表示装置）の色特性を表す入力プロファイル４２０と、上述したプロファイル４００と、を用いて生成することができる。図６に示す入力プロファイル４２０は、入力デバイスに依存するＲＧＢ色空間（入力色空間ＣＳ１）の座標値（Ｒｊ，Ｇｊ，Ｂｊ）とＬａｂ色空間の座標値（Ｌｊ，ａｊ，ｂｊ）との対応関係を表す情報である。座標値（Ｒｊ，Ｇｊ，Ｂｊ）は、ＲＧＢの色の量を表す。図６に示すプロファイル４００は、出力デバイスに依存するＣＭＹＫ色空間（出力色空間ＣＳ２）の座標値（Ｃｊ，Ｍｊ，Ｙｊ，Ｋｊ）とＬａｂ色空間の座標値（Ｌｊ，ａｊ，ｂｊ）との対応関係を表す情報である。座標値（Ｃｊ，Ｍｊ，Ｙｊ，Ｋｊ）は、ＣＭＹＫのインクの使用量を表す。尚、変数ｊは、入力色空間ＣＳ１の座標に対応する各格子点ＧＤ０を識別する変数である。入力プロファイル４２０からは、各格子点ＧＤ０の位置を表す入力座標値（Ｒｊ，Ｇｊ，Ｂｊ）に対応するＬａｂ色空間の座標値（Ｌｊ，ａｊ，ｂｊ）を取得することができる。プロファイル４００からは、Ｌａｂ色空間の各座標値（Ｌｊ，ａｊ，ｂｊ）に対応する出力色空間ＣＳ２の座標値（Ｃｊ，Ｍｊ，Ｙｊ，Ｋｊ）を取得することができる。図６に示すように、入力座標値（Ｒｊ，Ｇｊ，Ｂｊ）と出力座標値（Ｃｊ，Ｍｊ，Ｙｊ，Ｋｊ）とを対応付けると、各格子点ＧＤ０について対応関係が規定された色変換テーブル４５０を生成することができる。
【００４７】
生成された色変換テーブル４５０は、例えば、図示しないプリンタードライバーに組み込まれる。このプリンタードライバーにより実現される印刷制御装置は、色変換テーブル４５０を参照して入力色空間ＣＳ１の座標値（Ｒｑ，Ｇｑ，Ｂｑ）を表す印刷用データから出力色空間ＣＳ２の座標値（Ｃｑ，Ｍｑ，Ｙｑ，Ｋｑ）を表す出力データを生成する。この出力データを印刷装置２００に送信すると、印刷装置２００は前記出力データに基づいて透過媒体ＭＥ１に画像ＩＭ２を印刷して印刷物ＰＴ２を形成する。
【００４８】
以上説明したように、本具体例は、透過測色値５００と反射測色値５２０とをユーザー設定の合成比率αで合成した合成測色値５５０に基づいてプロファイル４００が生成されるので、得られるプロファイル４００はユーザーの好みに応じた割合で透過測色値５００と反射測色値５２０とが反映されている。従って、本具体例は、透過光と反射光が共存する環境下で媒体の画像の暗部の階調が潰れないようにしたり硬調化しないようにしたりすることができ、ユーザーに利用される照明環境に応じて媒体の画像の色再現性を向上させることが可能となる。
【００４９】
なお、透過測色値と反射測色値は、三刺激値で色を定量的に扱う点からＸＹＺ値で合成することが好ましいものの、Ｌａｂ値等で合成してもよい。例えば、透過測色値５０１（座標値ＬＴｉ，ａＴｉ，ｂＴｉ）と反射測色値５２１（座標値ＬＲｉ，ａＲｉ，ｂＲｉ）とから以下の式に従って合成測色値５５１（座標値ＬＡｉ，ａＡｉ，ｂＡｉ）を生成することも可能である。
ＬＡｉ＝α・ＬＴｉ＋（１−α）・ＬＲｉ  …（４）
ａＡｉ＝α・ａＴｉ＋（１−α）・ａＲｉ  …（５）
ｂＡｉ＝α・ｂＴｉ＋（１−α）・ｂＲｉ  …（６）
【００５０】
（４）第二の具体例におけるプロファイル生成：
図７は、両測色値５００，５２０を用いてプロファイル４００を生成する例として、透過測色値５００から得られる第一中間プロファイル４０１と反射測色値５２０から得られる第二中間プロファイル４０２を合成するプロファイル生成方法を模式的に例示している。図８は、図１に示すプロファイル生成装置１００で行われる色変換テーブル生成処理の例を示している。図８に示す色変換テーブル生成処理は、図４で示した色変換テーブル生成処理におけるＳ１１２〜Ｓ１１４がＳ１２２〜Ｓ１２６に置き換わっている。ここで、Ｓ１１０，Ｓ１２２〜Ｓ１２６は、プロファイル生成部Ｕ３、プロファイル生成工程ＳＴ３、及び、プロファイル生成機能ＦＵ３に対応している。Ｓ１２２は、第一中間プロファイル生成部Ｕ６、第一中間プロファイル生成工程ＳＴ６、及び、第一中間プロファイル生成機能ＦＵ６に対応している。Ｓ１２４は、第二中間プロファイル生成部Ｕ７、第二中間プロファイル生成工程ＳＴ７、及び、第二中間プロファイル生成機能ＦＵ７に対応している。Ｓ１２６は、プロファイル合成部Ｕ８、プロファイル合成工程ＳＴ８、及び、プロファイル合成機能ＦＵ８に対応している。本具体例のプロファイル生成プログラムＰＲ０は、図１に示す測色値合成機能ＦＵ５が無くてもよい。尚、各ステップＳ１０２〜Ｓ１１０，Ｓ１２２〜Ｓ１２６，Ｓ１１６の処理順は、図８に示す順番に限定されない。
【００５１】
処理が開始されると、プロファイル生成装置１００は、印刷設定の選択を受け付け、透過媒体ＭＥ１にカラーチャートＣＨ１を印刷し、透過測色値５０１及び反射測色値５２１を取得し、図５で示したような合成比率設定画面で合成比率αの設定を受け付ける（Ｓ１０２〜Ｓ１１０）。その後、プロファイル生成装置１００は、透過媒体ＭＥ１に形成される印刷画像ＩＭ２の透過媒体ＭＥ１に光を透過させた場合における色再現特性を規定した第一中間プロファイル４０１（例えばＩＣＣプロファイル）を生成する（Ｓ１２２）。第一中間プロファイル４０１は、各パッチＰＡ１の透過測色値５０１（座標値ＬＴｉ，ａＴｉ，ｂＴｉ）を用いてＬａｂ値ＬＴｉ，ａＴｉ，ｂＴｉとインク使用量を表す値Ｃｉ，Ｍｉ，Ｙｉ，Ｋｉとの対応関係を規定することにより生成することができる。
【００５２】
また、プロファイル生成装置１００は、透過媒体ＭＥ１に形成される印刷画像ＩＭ２の表面に光を反射させた場合における色再現特性を規定した第二中間プロファイル４０２（例えばＩＣＣプロファイル）を生成する（Ｓ１２４）。第二中間プロファイル４０２は、各パッチＰＡ１の反射測色値５２１（座標値ＬＲｉ，ａＲｉ，ｂＲｉ）を用いてＬａｂ値ＬＲｉ，ａＲｉ，ｂＲｉとインク使用量を表す値Ｃｉ，Ｍｉ，Ｙｉ，Ｋｉとの対応関係を規定することにより生成することができる。
【００５３】
中間プロファイル４０１，４０２の生成後、プロファイル生成装置１００は、透過測色値５００と反射測色値５２０が合成比率αで合成されるように両中間プロファイル４０１，４０２を合成して最終的なプロファイル４００（図６参照）を生成する（Ｓ１２６）。例えば、インク使用量を表す値Ｃｉ，Ｍｉ，Ｙｉ，Ｋｉに対応付けられる合成測色値をＬａｂ値ＬＡｉ，ａＡｉ，ｂＡｉとし、透過測色値５０１（座標値ＬＴｉ，ａＴｉ，ｂＴｉ）と反射測色値５２１（座標値ＬＲｉ，ａＲｉ，ｂＲｉ）を合成比率αで合成する場合を考える。この場合、上述した式（４）〜（６）に従って合成測色値５５１（座標値ＬＡｉ，ａＡｉ，ｂＡｉ）を算出し、合成測色値ＬＡｉ，ａＡｉ，ｂＡｉをＬａｂ値Ｌｊ，ａｊ，ｂｊとしてプロファイル４００に格納し、インク使用量を表す値Ｃｉ，Ｍｉ，Ｙｉ，Ｋｉを値Ｃｊ，Ｍｊ，Ｙｊ，Ｋｊとしてプロファイル４００に格納すればよい。
【００５４】
また、測色値５０１，５２１をＬａｂ値からＸＹＺ値に変換し、透過測色値５０２（座標値ＸＴｉ，ＹＴｉ，ＺＴｉ）と反射測色値５２２（座標値ＸＲｉ，ＹＲｉ，ＺＲｉ）を合成比率αで合成し、得られる合成測色値５５２（座標値ＸＡｉ，ＹＡｉ，ＺＡｉ）をＸＹＺ値からＬａｂ値に変換し、得られる合成測色値ＬＡｉ，ａＡｉ，ｂＡｉをＬａｂ値Ｌｊ，ａｊ，ｂｊとしてプロファイル４００に格納してもよい。
【００５５】
プロファイル４００の生成後、プロファイル生成装置１００は、プロファイル４００を用いて図６に示すような色変換テーブル４５０を生成し（図８のＳ１１６）、色変換テーブル生成処理を終了させる。
以上説明したように、本具体例は、透過測色値５００と反射測色値５２０とがユーザー設定の合成比率αで合成されるようにプロファイル４００が生成されるので、得られるプロファイル４００はユーザーの好みに応じた割合で透過測色値５００と反射測色値５２０とが反映されている。従って、本具体例も、ユーザーに利用される照明環境に応じて媒体の画像の色再現性を向上させることが可能となる。
【００５６】
（５）第三の具体例におけるプロファイル生成：
ユーザーによっては、反射測色装置１１８が無く透過測色装置１１７しか無いことがあり得る。この場合、透過測色値５００から反射測色値５２０を推定することができると、好適である。
【００５７】
図９は、両測色値５００，５２０を用いてプロファイル４００を生成する例として、透過測色値５００から反射測色値５２０を推定するプロファイル生成方法を模式的に例示している。図１０Ａは、透過測色値５００と反射測色値５２０との対応関係を模式的に例示している。図１０Ｂは、透過測色値５００に応じた係数を模式的に例示している。まず、図９，１０Ａ，１０Ｂを参照して、透過測色値５００から推定される反射測色値５２０を算出する例を説明する。
【００５８】
代表的な種類の透過媒体に代表的な種類のインクでカラーチャートを形成し、Ｌａｂ値で表された透過測色値５０１及び反射測色値５２１を取得し、ＸＹＺ値で表される透過測色値５０２（座標値ＸＴｉ，ＹＴｉ，ＺＴｉ）及び反射測色値５２２（座標値ＸＲｉ，ＹＲｉ，ＺＲｉ）に変換したとする。図１０Ａは、透過測色値５０２のＸ成分を相対的に表すＸＴ軸と、反射測色値５２２のＸ成分を相対的に表すＸＲ軸と、で形成されるＸＴ−ＸＲ平面にパッチＰＡ１毎の点（ＸＴｉ，ＸＲｉ）をプロットしたときの対応関係を模式的に例示している。尚、ＸＴ軸とＸＲ軸はともに対数軸であり、ＸＴ軸で示されるＸＴ値、及び、ＸＲ軸で示されるＸＲ値はＸＹＺ表色系のＸ成分の最大量を１としたときの相対値である。また、１０を底とする常用対数をＬＯＧとして、−ＬＯＧ（ＸＴ）と−ＬＯＧ（ＸＲ）の値も示している。透過測色値５０２のＹ成分を相対的に表すＹＴ軸と、反射測色値５２２のＹ成分を相対的に表すＹＲ軸と、で形成されるＹＴ−ＹＲ平面にパッチＰＡ１毎の点（ＹＴｉ，ＹＲｉ）をプロットしたときの対応関係、及び、透過測色値５０２のＺ成分を相対的に表すＺＴ軸と、反射測色値５２２のＺ成分を相対的に表すＺＲ軸と、で形成されるＺＴ−ＺＲ平面にパッチＰＡ１毎の点（ＺＴｉ，ＺＲｉ）をプロットしたときの対応関係も、同様なので、まとめて示している。
【００５９】
図１０Ａに示すように、透過測色値を表すＸＴ値が或る透過率Ｔ１よりも大きい場合、反射測色値を表すＸＲ値はＸＴ値よりも小さくなっている。−ＬＯＧ（ＸＴ）値と−ＬＯＧ（ＸＲ）値の対応関係を見ると、−ＬＯＧ（ＸＲ）値は、原点０を起点として１よりも大きい傾きで直線状に上昇し、２を超えた辺りで上に凸のカーブを描き、ＸＴ＝Ｔ１において直線−ＬＯＧ（ＸＲ）＝−ＬＯＧ（ＸＴ）と交わっている。Ｙ成分、及び、Ｚ成分も、同様である。
【００６０】
ここで、以下のように係数Ｆ（ＸＴ），Ｆ（ＹＴ），Ｆ（ＺＴ）を定義する。
Ｆ（ＸＴ）＝｛−ＬＯＧ（ＸＲ）｝／｛−ＬＯＧ（ＸＴ）｝  …（７）
Ｆ（ＹＴ）＝｛−ＬＯＧ（ＹＲ）｝／｛−ＬＯＧ（ＹＴ）｝  …（８）
Ｆ（ＺＴ）＝｛−ＬＯＧ（ＺＲ）｝／｛−ＬＯＧ（ＺＴ）｝  …（９）
図１０Ｂには、透過測色値を表すＸＴ値と係数Ｆ（ＸＴ）との関係を示している。また、−ＬＯＧ（ＸＴ）値も示している。Ｙ成分、及び、Ｚ成分も、同様なので、まとめて示している。
【００６１】
図１０Ｂに示すように、透過測色値を表すＸＴ値が或る透過率Ｔ２以上である場合、係数Ｆ（ＸＴ）はほぼ定数Ｆ１となる。ただし、１＞Ｔ２＞Ｔ１（例えばＴ２＝０．１）であり、１＜Ｆ１＜２である。ＸＴ値が透過率Ｔ２よりも小さい場合、係数Ｆ（ＸＴ）はほぼ−ＬＯＧ（ＸＴ）値が大きくなるほど小さくなる減少関数（傾きをΔＦとすると−１＜ΔＦ＜０）となる。Ｙ成分、及び、Ｚ成分も、同様である。
【００６２】
上述した係数Ｆ（ＸＴ），Ｆ（ＹＴ），Ｆ（ＺＴ）を用いることにより、透過測色値を表すＸＴ値、ＹＴ値、及び、ＺＴ値から反射測色値を表すＸＲ値、ＹＲ値、及び、ＺＲ値を算出することができる。まず、上述した式（７）〜（９）を以下のように変形することができる。
ＬＯＧ（ＸＲ）＝Ｆ（ＸＴ）・ＬＯＧ（ＸＴ）  …（１０）
ＬＯＧ（ＹＲ）＝Ｆ（ＹＴ）・ＬＯＧ（ＹＴ）  …（１１）
ＬＯＧ（ＺＲ）＝Ｆ（ＺＴ）・ＬＯＧ（ＺＴ）  …（１２）
従って、ＸＲ値、ＹＲ値、及び、ＺＲ値は、以下の式により求めることができる。
ＸＲ＝１０ F(XT)・LOG(XT)  …（１３）
ＹＲ＝１０ F(YT)・LOG(YT)  …（１４）
ＺＲ＝１０ F(ZT)・LOG(ZT)  …（１５）
【００６３】
透過測色値を表すＸＴ値、ＹＴ値、及び、ＺＴ値と反射測色値を表すＸＲ値、ＹＲ値、及び、ＺＲ値の対応関係は、透過媒体の種類やインクの種類に応じて図１０Ａ，１０Ｂに示す対応関係から変わる可能性がある。しかし、定性的には、ＸＴ値、ＹＴ値、及び、ＺＴ値が或る透過率（図１０Ａでは透過率Ｔ１）よりも大きい場合、ＸＲ＜ＸＴ、ＹＲ＜ＹＴ、及び、ＺＲ＜ＺＴの関係が成り立つ。従って、透過測色値５０２と前記反射測色値５２２との対応関係は、透過測色値５０２が所定の透過率（例えばＴ１）よりも大きい測色値である場合に、反射測色値５２２に対応する反射率（例えばＸＲ，ＹＲ，ＺＲ）が透過測色値５０２に対応する透過率（例えばＸＴ，ＹＴ，ＺＴ）よりも小さくなるように決められる。
また、測色値５０２，５２２の対応関係は、透過測色値５０２が所定の透過率（例えばＴ２）以下である場合に１よりも大きく２よりも小さい定数となる係数Ｆ（ＸＴ），Ｆ（ＹＴ），Ｆ（ＺＴ）を用いた式（１３）〜（１５）を満たすように決められる。
【００６４】
図１１は、図１に示すプロファイル生成装置１００で行われる色変換テーブル生成処理の例を示している。図１１に示す色変換テーブル生成処理は、図４で示した色変換テーブル生成処理におけるＳ１０８がＳ１４２に置き換わっている。ここで、Ｓ１４２は、反射測色値取得部Ｕ２、反射測色値取得工程ＳＴ２、及び、反射測色値取得機能ＦＵ２に対応している。本具体例のプロファイル生成プログラムＰＲ０は、図１に示す図１に示す機能ＦＵ６〜ＦＵ８が無くてもよい。尚、各ステップＳ１０２〜Ｓ１０６，Ｓ１４２，Ｓ１１０〜Ｓ１１６の処理順は、図１１に示す順番に限定されない。
【００６５】
処理が開始されると、プロファイル生成装置１００は、印刷設定の選択を受け付け、透過媒体ＭＥ１にカラーチャートＣＨ１を印刷し、透過測色値５０１，５０２を取得する（Ｓ１０２〜Ｓ１０６）。その後、プロファイル生成装置１００は、予め決められた透過測色値５００と反射測色値５２０との対応関係に従って、透過測色値５００から推定される反射測色値５２０を取得する（Ｓ１４２）。図９に示す透過測色値５０２（座標値ＸＴｉ，ＹＴｉ，ＺＴｉ）を取得している場合、上述した式（１３）〜（１５）に従って推定される反射測色値５２２（座標値ＸＲｉ，ＹＲｉ，ＺＲｉ）をパッチＰＡ１毎に算出すればよい。
【００６６】
反射測色値５２２の取得後、プロファイル生成装置１００は、図５で示したような合成比率設定画面で合成比率αの設定を受け付け、透過測色値５０２と反射測色値５２２を合成する（Ｓ１１０〜Ｓ１１２）。その後、プロファイル生成装置１００は、合成測色値５５０を用いてプロファイル４００を生成し、図６に示すような色変換テーブル４５０を生成して（Ｓ１１４〜Ｓ１１６）、色変換テーブル生成処理を終了させる。
【００６７】
以上説明したように、透過測色値５００から反射測色値５２０が推定されるので、パッチＰＡ１の表面ＰＡ１ａに光を反射させた場合のパッチＰＡ１を測色する測色器が無くてもプロファイル４００を生成することができる。従って、本具体例は、利便性を向上させることが可能となる。
尚、透過測色値５００から反射測色値５２０を推定する方法は、上述した方法に限定されず、相関を求める種々の方法を採用可能である。また、本具体例も、測色値５００，５２０に基づいて中間プロファイル４０１，４０２を生成し、これらの中間プロファイル４０１，４０２を合成比率αで合成して最終的なプロファイル４００を生成してもよい。
【００６８】
（６）変形例：
本発明は、種々の変形例が考えられる。
例えば、出力デバイスは、インクジェットプリンターに限定されず、レーザープリンターといった電子写真方式のプリンター、３次元プリンター、等でもよい。
媒体に画像を形成する色材は、インク、トナー、等を含む。
媒体に画像を形成する色材の種類は、ＣＭＹＫに限定されず、ＣＭＹＫに加えて、Ｃよりも低濃度のＬｃ（ライトシアン）、Ｍよりも低濃度のＬｍ（ライトマゼンタ）、Ｙよりも高濃度のＤｙ（ダークイエロー）、Ｏｒ（オレンジ）、Ｇｒ（グリーン）、Ｋよりも低濃度のＬｋ（ライトブラック）、画質向上用の無着色の色材、等を含んでもよい。また、ＣＭＹＫの一部の色材を使用しない場合にも、本技術を適用可能である。
入力色空間は、ＲＧＢ色空間に限定されず、ＣＭＹ色空間、ＣＭＹＫ色空間、等でもよい。
【００６９】
上述した処理は、順番を入れ替える等、適宜、変更可能である。例えば、図２，８の色変換テーブル生成処理において、合成比率αの設定を受け付けるＳ１１０の処理は、Ｓ１０２，Ｓ１０４，Ｓ１０６，Ｓ１０８のいずれの処理の前において行うことが可能である。透過測色値５００を取得するＳ１０６の処理と反射測色値５２０を取得するＳ１０８の処理とを入れ替えることも可能である。
【００７０】
（７）結び：
以上説明したように、本発明によると、種々の態様により、利用される照明環境に応じて媒体の画像の色再現性を向上させることが可能な技術等を提供することができる。むろん、独立請求項に係る構成要件のみからなる技術等でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７１】
１００…プロファイル生成装置、１１４…記憶装置、１１５…表示装置、１１６…入力装置、１１７…透過測色装置、１１８…反射測色装置、２００…印刷装置（出力デバイスの例）、４００…プロファイル、４０１…第一中間プロファイル、４０２…第二中間プロファイル、４２０…入力プロファイル、４５０…色変換テーブル、５００，５０１，５０２…透過測色値、５２０，５２１，５２２…反射測色値、５５０，５５１，５５２…合成測色値、６１０…合成比率設定画面、６１２…スライダーコントロール、６１３…入力欄、ＣＨ１…チャート、ＣＳ１…入力色空間、ＣＳ２…出力色空間、ＦＵ１…透過測色値取得機能、ＦＵ２…反射測色値取得機能、ＦＵ３…プロファイル生成機能、ＦＵ４…合成比率設定機能、ＦＵ５…測色値合成機能、ＦＵ６…第一中間プロファイル生成機能、ＦＵ７…第二中間プロファイル生成機能、ＦＵ８…プロファイル合成機能、ＧＤ０…格子点、ＬＴ１…透過光、ＬＴ２…反射光、ＭＥ１…透過媒体（媒体の例）、ＰＡ１…パッチ、ＰＲ０…プロファイル生成プログラム、ＰＴ１，ＰＴ２…印刷物、ＳＴ１…透過測色値取得工程、ＳＴ２…反射測色値取得工程、ＳＴ３…プロファイル生成工程、ＳＴ４…合成比率設定工程、ＳＴ５…測色値合成工程、ＳＴ６…第一中間プロファイル生成工程、ＳＴ７…第二中間プロファイル生成工程、ＳＴ８…プロファイル合成工程、Ｕ１…透過測色値取得部、Ｕ２…反射測色値取得部、Ｕ３…プロファイル生成部、Ｕ４…合成比率設定部、Ｕ５…測色値合成部、Ｕ６…第一中間プロファイル生成部、Ｕ７…第二中間プロファイル生成部、Ｕ８…プロファイル合成部。
【図１】
2018033066.tif 000003
【図２】
2018033066.tif 000004
【図３】
2018033066.tif 000005
【図４】
2018033066.tif 000006
【図５】
2018033066.tif 000007
【図６】
2018033066.tif 000008
【図７】
2018033066.tif 000009
【図８】
2018033066.tif 000010
【図９】
2018033066.tif 000011
【図１０】
2018033066.tif 000012
【図１１】
2018033066.tif 000013
【図１２】
2018033066.tif 000014